(57)【特許請求の範囲】
【請求項１】
着物用帯を固定する着装具であって、帯枕と、帯枕の下方に位置し、かつ帯を通す開口を有する背部密着部とで構成され、着物用帯のたれ側から、お太鼓の形成分の長さを測り取った位置に着装具を取り付け、この位置から手の方向に胴部に巻着する長さを測り取った位置で、着物用帯を折り返して、二枚重ねにし、この折り返した部分を挟み、支持するために背部密着部下部の裏に二枚の羽根を備えたことを特徴とするかんたん帯結び着装具
【請求項２】
胴部に巻着した帯の、人体背部と着装具の間からの落下防止と、安定のために、背部密着部下部の裏に、綿の入った部材を備えることを特徴とする請求項１に記載のかんたん帯結び着装具
【請求項３】
帯枕と背部密着部との接続部位で、背部密着部が前後に動くことを特徴とする請求項１又は請求項２に記載のかんたん帯結び着装具
【発明の詳細な説明】
【技術分野】
【０００１】
本発明は、着物の着付けに際しての、着物用帯の帯結びを容易、迅速に、且つ美しく作る為に利用する着装具に関し、詳しくは着物用帯のお太鼓を目の前で形成する為、腕に負担をかけず、お太鼓の大きさ、形が常に思い通りに形成することが出来るかんたん帯結び着装具に関するものである。
【背景技術】
【０００２】
従来、着物用帯結びを行うには、長い帯を胴体に二度巻きして、背部で帯の一方をもう一方にくぐらせて結び締める手順の為、帯の結び目から帯が傷ついて、帯の耐用年数を縮めていた。
【０００３】
着物用帯結びのお太鼓結びは、背部に手探りでお太鼓を形成する為、完成するまで、腕を高い位置に上げたままで作業するので、腕に負担がかかり、一人で帯結びをするには、大変困難である。
【０００４】
また上記と別な方法として、通常使用されている帯枕を利用する場合も、通常使用される着装具を利用する場合も、背中でお太鼓を形成する為、腕にかかる負担、お太鼓の形、大きさ、帯山を美しく安定的に固定するのは困難である。                      
【０００５】
帯を手探りで形成する為に、美しいお太鼓が作りにくいし、形が歪む、大きさが一定に出来ない等、多くの問題があり、もっと容易にお太鼓結びが出来る着装具の出現が望まれている。            
【０００６】
ところで上記問題点に関して、特願Ｍ−０９０４２７において、「作って装着帯結び」で提案されていて、同じく着装具を使用しての技術的な方法であるが、着装具を改良することで更にお太鼓結びを容易に、美しく形成できるのがかんたん帯結び着装具である。
従来の帯結びは、非特許文献１に開示されているものがある。
【非特許文献１】石田節子著、  「はじめてのきものの着付けと帯結び」                        株式会社ナツメ社出版、  ２００５年７月２０日発行、  Ｐ６５〜６９
【特許文献１】特開  ２００３−２６８６１５
【発明の開示】
【発明が解決しようとする課題】
【０００７】
帯結びをするには、背部で形成する為に、腕が上がらない、背部に手が回らないなどの問題が生じ大変困難である。お太鼓の大きさが一定にならず、形も歪み完成までに時間がかかり、帯を傷め消耗が進む。本発明は、以上の問題点を解決することを課題とする。
【課題を解決するための手段】
【０００８】
前述の課題を解決するために、本発明は着物用帯を固定し、目の前で、お太鼓や二重太鼓の形を形成する着装具であって、帯枕と帯枕の下方に位置し、かつ帯を通す開口を有する背部密着部とで構成され、着物用帯のたれ側から、お太鼓の形成分の長さを測り取った位置に着装具を取り付け、この位置から手の方向に、胴部に巻着する長さを測り取った位置で、着物用帯を折り返して、二枚重ねにし、この折り返した部分を挟み、支持するために背部密着部下部の裏に、二枚の羽根を備えたものである。
【０００９】
本発明はさらに、胴部に巻着した帯の、人体背部と着装具の間からの落下防止と、安定のために、背部密着部下部の裏に、綿の入った部材を備えたものである。また、本発明は、帯枕と背部密着部との接続部位で、背部密着部が前後に動くものであり、着装具下部を胴部から浮かせ、胴部に巻着した帯を背部で密着させ、着装具の裏に固定した帯座に乗せて、帯締めで押さえて背部に装着するものである。
【００１０】
これにより、目の前で作る為にお太鼓部の形、大きさを一定に設定する事が出来、また背部の高い位置に腕を回す事が無いので、腕に負担がかからない。本発明は以上の構成により成る、美しい形を楽に形成できるかんたん帯結び着装具である。
【発明の効果】
【００１１】
本発明により、帯を傷めることが少なく、お太鼓の形が美しく、腕に負担をかけず容易に帯結びが出来る。また全て形成してから装着する為、着物の着崩れすることが無く短時間で結ぶことができる。結び方のバリエーションも増えて、二重太鼓やより華やかな結び方が可能な、かんたん帯結び着装具である。  
【発明を実施するための最良の形態】
【００１２】
以下、本発明に係る着装具（以下「本着装具」と言う。）の実施の形態の実施例を示す図面
及び符号を参照して説明する。
【００１３】
図１は本着装具１０の請求項１の実施例を示すものである。本着装具１０は一般に製造販売されている商品と同様に帯枕４と、人体背部に密着させる、帯を通す開口を有した背部密着部５から成る。背部密着部５の下部裏側に手３を挟み、支持するための、幅５ｃｍ程度、長さ10ｃｍ程度の羽根２０、２０を固定する。素材、形状は一般に製造販売されている商品と同様とし、羽根２０も背部密着部５と同じ素材とする。
【００１４】
図１は本着装具１０の請求項２の実施例を示すものである。一般に製造販売されている帯補助具は、表側下部に帯座６と言われる、帯を乗せるための綿の入った細長い部材を取り付けている。請求項２では、胴部に巻着した帯が落下しないよう着装具10の裏の、表と同様の位置に、同様の素材で長さ10ｃｍ程度の帯座３０を固定する。
【００１５】
図６は本着装具１０の請求項３の実施例を示すものである。帯枕４が固定された着装具１０とお太鼓８０を一緒に持ち上げ、巻着した帯を背部に密着させる。その為には、帯枕と着装具下部を分断し、更に背部密着部下部が前後に動くよう、丈夫な糸で縫いつなぐ。
【００１６】
この実施例に係る本着装具１０を装着する手順は以下の通りである。帯のたれ１を左側に置き、帯の手３を右側に置き、帯のたれ１の方から帯幅の約3・5倍測り取り、クリップ７で留め、留めた位置から胴部一巻き分プラス５ｃｍ位の位置にクリップ９で留めておく。
【００１７】
帯のたれ１を縦に置き直し、着物用帯の手３の方から本着装具１０を通し、クリップ７の位置に取り付け、本着装具１０の開口部で着物用帯を三角にたたみ、本着装具１０の帯座６と帯５０を大型和装クリップ８で留める。
【００１８】
図２は正面図であり、図３は背面図であるが、胴部に巻く部分として測って留めておいたクリップ９の位置で、着物用帯８０を外側に折り返し、二枚重ねの胴部巻着部２とし、折り返した部分を、本着装具１０の背部密着部５下部裏側の羽根２０、２０に挟み、更に大型和装クリップ８で押さえる。
【００１９】
図４に示すように、帯枕４を長さ１５０ｃｍ、幅３０ｃｍ程度のガーゼ４０で包んで、更に帯揚げ６０をかける。帯のたれ１をおろして本着装具１０の帯座６から、８ｃｍ位たれ先１を出し、余り分のたれ１は、お太鼓８０の間に入れ、形成したお太鼓８０の上一枚目と二枚目の帯の間に手３を入れ、帯座６の内側に収まる大きさに設定し、お太鼓８０を形成する。お太鼓８０を形成している左右下部と手３を一緒にクリップ１０、１１で留め、お太鼓８０に帯締め７０を通し、お太鼓８０の左右上部と手３を一緒にクリップ１２、１３で留める。
【００２０】
図５で示すように、形成したお太鼓８０を人体背部に装着し、帯枕４を包んでいるガーゼ４０を胴部前で結び、帯揚げ６０を胴部前で仮結びをする。胴部に巻く部分として測った位置に留めたクリップ９を外し、胴部巻着部２を胴部に巻く。
【００２１】
図６で示すように、胴部に二枚重ねの胴部巻着部帯２を巻き、背部密着部５を人体背部から持ち上げ、胴部巻着部２を、図１に示す背部密着部５下部裏側の帯座３０に乗せて人体背部に密着させ、大型和装クリップ８で留め直す。
【００２２】
事前に配置しておいた帯締め７０を帯の中心で結び、帯に付いているクリップ１０，１１，１２，１３を外す。帯揚げ６０を整え、帯の中心で結び、大型和装クリップ８を外す。本発明は以上の構成により成る、かんたん帯結び着装具である。
【産業上の利用可能性】
【００２３】
本発明に係る、かんたん帯結び着装具は、簡単に美しく帯結びが出来る為、着物で仕事をする人達には、時間的にも大変有効である。また腕に負担がかからないので年配の方達に最適である。また本発明によって簡単に着物が着られること、安価にて提供出来る為、着物を着る人達が増える。本発明は、日本の民族衣装である着物を、後世に継承してゆく為に必要と考える。      
【図面の簡単な説明】
【００２４】
【図１】本発明の裏面図
【図２】図１の本発明に係る羽根のような部材の実施例の使用状態図
【図３】図１の本発明に係る帯座の実施例の使用状態図
【図４】本発明で形成したお太鼓の正面図
【図５】本発明で形成したお太鼓を装着した実施例の使用状態図
【図６】図１の本発明に係る接続部位の実施例の使用状態図
【符号の説明】
【００２５】
１０    本着装具
２０    羽根
３０    帯座
４０    ガーゼ
５０    帯
６０    帯揚げ
７０    帯締め
８０    お太鼓
９０    接続部位
１    たれ
２    胴部巻着部
３    手
４    帯枕  
５    背部密着部
６    帯座
７    クリップ
８    大型和装クリップ
９    クリップ
１０    クリップ
１１    クリップ
１２    クリップ
１３    クリップ
【要約】
【課題】本発明は、帯を傷めこと無く、容易に美しく、目の前でお太鼓を形成する。よって腕に負担をかけず、歪みにくく、常に一定の大きさ、形を確認しながらお太鼓を形成することが出来るかんたん帯結び着装具を提供する。
【解決手段】本発明は、目の前で、お太鼓の形を形成する着装具であって、帯枕と接続された、帯を通す開口を有する背部密着部で構成され、着物用帯に本着装具１０を取り付け、この位置から胴部に巻着する長さを測り取った位置９で、着物用帯を折り返して、二枚重ねとし、着物用帯のうち、二枚重ねとなった部分から更に手３の方向に延びる部分を挟み、支持するために背部密着部５下部の裏側に二枚の羽根２０を設け、胴部に巻着した帯を、背部密着部５下部裏の帯座３０に乗せ、背部密着部の左右に接続部位９０を設け、背部密着部５が前後に動くことで、帯座３０に乗せた胴部巻着部２を背部密着部５と一緒に、人体背部に密着させることを特徴とするかんたん帯結び着装具である。
【選択図】        図１
【図１】
0004209931.tif 000002
【図２】
0004209931.tif 000003
【図３】
0004209931.tif 000004
【図４】
0004209931.tif 000005
【図５】
0004209931.tif 000006
【図６】
0004209931.tif 000007